(57)【特許請求の範囲】
【請求項１】
複数のタグと、前記複数のタグと非接触でデータの書込みおよび読出しを行なう読出し／書込み装置と、からなる非接触ＩＤ装置において、
前記複数のタグは、データ記憶手段を備え、前記データ記憶手段のメモリ領域に、前記複数のタグをメモリ容量の大きな１個のタグに集約するためのデータを設定するシステムエリアを設けたことを特徴とする非接触ＩＤ装置。
【請求項２】
複数のタグと、前記複数のタグと非接触でデータの書込みおよび読出しを行なう読出し／書込み装置と、からなる非接触ＩＤ装置において、
前記複数のタグは、データ記憶手段を備え、前記データ記憶手段のメモリ領域に、それぞれのタグ固有のオフセット値およびメモリ容量値を設定するシステムエリアを設けたことを特徴とする非接触ＩＤ装置。
【請求項３】
前記読出し／書込み装置は、前記データ記憶手段のメモリ領域に設定されたタグ固有のオフセット値およびメモリ容量値に基づいて前記複数のタグを集約したメモリ容量の大きな１個のタグとして扱うことを特徴とする請求項２記載の非接触ＩＤ装置。
【請求項４】
複数のタグと、前記複数のタグと非接触でデータの書込みおよび読出しを行なう読出し／書込み装置と、からなる非接触ＩＤ装置において、
前記複数のタグは、データ記憶手段を備え、前記データ記憶手段のメモリ領域に、それぞれのタグ固有の固有番号および前記複数のタグを集約したメモリ容量の大きな１個のタグの固有番号に対応したＩＤ番号テーブルを設定するシステムエリアを設けたことを特徴とする非接触ＩＤ装置。
【請求項５】
前記読出し／書込み装置は、前記データ記憶手段のメモリ領域に設定された前記複数のタグ固有の固有番号および前記複数のタグを集約したメモリ容量の大きな１個のタグの固有番号に対応したＩＤ番号テーブルに基づいて前記複数のタグを、当該複数のタグを集約したメモリ容量の大きな１個のタグとして扱うことを特徴とする請求項４記載の非接触ＩＤ装置。
【請求項６】
複数のタグと、前記複数のタグと非接触でデータの書込みおよび読出しを行なう読出し／書込み装置と、からなる非接触ＩＤ装置において、
前記複数のタグにそれぞれデータ記憶手段を備え、且つ、前記複数のタグのうち予め選択された一のタグを特定のタグとして、当該特定のタグにおける前記データ記憶手段のメモリ領域に、当該特定のタグの固有番号を記憶すると共に前記複数のタグのうち前記特定のタグ以外の全てのタグに対応したＩＤ番号テーブルを設定するシステムエリアを設け、更に、前記複数のタグのうち前記特定のタグ以外の全てのタグにおける前記データ記憶手段のメモリ領域に、それぞれ前記複数のタグのうち前記特定のタグ以外の全てのタグに係る固有番号を設定するシステムエリアを設けたことを特徴とする非接触ＩＤ装置。
【請求項７】
前記読出し／書込み装置は、前記特定のタグに係る前記データ記憶手段のメモリ領域に設定された前記特定のタグの固有番号および当該特定タグ以外の全てのタグの固有番号に対応したＩＤ番号テーブルと、前記特定タグ以外の全てのタグの固有番号と、に基づいて前記複数のタグをメモリ容量の大きな１個のタグとして扱うことを特徴とする請求項６記載の非接触ＩＤ装置。
【請求項８】
前記読出し／書込み装置は、前記複数のタグの固有番号に基づいてＩＤ番号テーブルを作成するＩＤ番号テーブル作成手段を備えたことを特徴とする請求項５ないし請求項７のいずれか一に記載の非接触ＩＤ装置。
【請求項９】
前記読出し／書込み装置は、前記複数のタグの固有番号に基づいてＩＤ番号テーブルを更新するＩＤ番号テーブル更新手段を備えたことを特徴とする請求項５ないし請求項７の何れか一に記載の非接触ＩＤ装置。
【請求項１０】
前記複数のタグが搭載された対象物を水平方向に移動して前記読出し／書込み装置でデータの読出し／書込みを実行する場合、最初に前記特定のタグが前記読出し／書込み装置の交信領域に入るように前記複数のタグを配置したことを特徴とする請求項６または請求項７記載の非接触ＩＤ装置。
【請求項１１】
前記複数のタグが搭載された対象物を垂直方向に移動して前記読出し／書込み装置でデータの読出し／書込みを実行する場合、最初に前記特定のタグが前記読出し／書込み装置の交信領域に入るように前記複数のタグを配置したことを特徴とする請求項６または請求項７記載の非接触ＩＤ装置。
【発明の詳細な説明】
【０００１】
【発明の属する技術分野】
この発明は複数のタグと、複数のタグに対して非接触でデータの読出し／書込みを実行する読出し／書込み装置とからなる非接触ＩＤ装置に係り、特に複数のタグをメモリ容量の大きな１個のタグとして扱う非接触ＩＤ装置に関する。
【０００２】
【従来の技術】
タグ（記憶媒体）を組立ラインの部品や製品、スキー場のリフト利用券または定期券等の表面や内部に搭載し、組立ライン、リフト乗り場または改札機にリーダ／ライタを配置することにより、非接触（電磁誘導や無線電波）でタグ内に記録されたデータを読み出したり、データを書き込んだりしてデータ管理を効率的に実行する非接触ＩＤ装置が知られている。
【０００３】
図１４に従来のタグ（記憶媒体）のブロック構成図を示す。（ａ）図にメモリ容量の小さいタグ、（ｂ）図にメモリ容量の比較的大きなタグを示す。（ａ）図において、タグ５０は、図示しないリーダ／ライタとの間で、電磁誘導によりデータの送信または受信を行なうコイル５１と、変復調部５３、制御ロジック５４、メモリ５５を備えたワンチップＩＣ５２とから構成される。なお、メモリ５５は、メモリ容量が２５６バイトのＥＥＰＲＯＭが用いられている例を示す。
【０００４】
このように構成されたタグ５０は、図示しないリーダ／ライタから電磁誘導で供給される電源（交流信号を整流・平滑）で駆動され、同時に供給されるコマンド（要求信号）が受信され、制御ロジック５４を介してコマンド（要求信号）に対応したデータがメモリ５５から読み出され、変復調部５３で変調が施された後、コイル５３からデータが電磁誘導でリーダ／ライタに送信される。
【０００５】
一方、図示しないリーダ／ライタから電磁誘導でデータが供給されると、変復調部５３で復調が施され、制御ロジック５４を介してデータがメモリ５５に書き込まれる。
【０００６】
（ｂ）図に示すタグ５６は、メモリ５８のメモリ容量が１キロバイトのＥＥＰＲＯＭが用いられている点を除き、（ａ）図に示すタグ５０と同じ構成および作用を有する。
【０００７】
このように、従来のタグ（記憶媒体）は、リーダ／ライタと電磁誘導でデータの交信を行なうので、バッテリを必要とせず、小型で、かつ軽量に構成されるので、リーダ／ライタと組み合わせて非接触ＩＤ装置が実現されている。なお、コイルを用いた電磁誘導を利用する代わりに、アンテナを用いた非接触ＩＤ装置も実用化されている。
【０００８】
図１５に従来の非接触ＩＤ装置の構成図を示す。図１５において、非接触ＩＤ装置６０は、対象物７０に配置したタグ６１Ａ、タグ６１Ｂと、タグ６１Ａ、タグ６１Ｂのそれぞれに対向して配置されたリーダ／ライタ６２Ａ、リーダ／ライタ６２Ｂとから構成され、リーダ／ライタ６２Ａとタグ６１Ａ間およびリーダ／ライタ６２Ｂとタグ６１Ｂ間で電磁誘導によるデータの交信を実行する。リーダ／ライタ６２Ａでタグ６１Ａ内に記録されたデータを読み出したり、データを書き込んだりしてデータ管理を実行するとともに、リーダ／ライタ６２Ｂでも同様にタグ６１Ｂ内に記録されたデータを読み出したり、データを書き込んだりしてデータ管理を実行する。
【０００９】
図１６に従来の非接触ＩＤ装置の別構成図を示す。図１６において、非接触ＩＤ装置６３は、対象物７０に配置したタグ６４Ａ、タグ６４Ｂと、リーダ／ライタ６５とから構成され、リーダ／ライタ６５でタグ６４Ａおよびタグ６４Ｂに記録されたデータを読み出したり、データを書き込んだりしてデータ管理を実行する。
【００１０】
図１６に示す方法は、例えば本出願人が特開平１０−２２４２７９号公報に開示したように、リーダ／ライタからのコマンドに対し、コマンド中のＩＤ番号識別データと複数のタグがそれぞれのメモリ内に記憶している自己のＩＤ番号とが一致した時のみ、タグ側がレスポンスを返信するようにしているので、リーダ／ライタがそれぞれのタグのＩＤ番号を読み出すことができ、複数のタグの中から必要とされるタグを特定できるように構成されている。
【００１１】
【発明が解決しようとする課題】
従来の非接触ＩＤ装置は、図１４に示すように、タグがメモリを含めてワンチップＩＣ化されているケースが多く、メモリ容量が固定されるため、顧客からメモリ容量増加の要望があっても、簡単に対応できない課題がある。
【００１２】
このため、顧客は、必要な情報量に最適なメモリ容量のタグがない場合には、必要な情報量よりもメモリ容量の大きいタグを選択するか、図１５または図１６に示すような複数のタグを選択せざるを得ない。なお、メモリの価格は、大量に使用されているものが最も安く、これと異なるメモリでは価格が大幅にアップすることが一般的である。
【００１３】
また、従来の非接触ＩＤ装置は、顧客が装置を導入した時点には最適なメモリ容量を選択しても、タグの情報量を増やしてシステムの拡張を図るような場合には、同種の装置に互換性のあるメモリ容量の大きなタグの品揃えがないと、別の装置に変更しなければならず、顧客の要望に対応するための仕様変更や設計変更が伴う場合には、装置のコストアップを招く虞がある。
【００１４】
さらに、従来の非接触ＩＤ装置は、タグのメモリ内の情報によっては書換え頻度の高いものがあり、書換えの寿命（回数）があるメモリ（例えば、ＥＥＰＲＯＭ）を使用したタグでは、書換え頻度の高い一部のメモリ領域が書換え寿命に達した時点でタグを交換しなければならず、メモリ容量の大きなタグを使用している場合には、経済的に無駄を発生する課題がある。
【００１５】
この発明はこのような課題を解決するためになされたもので、その目的は複数のタグをリーダライタ側から見て見かけ上１個のタグとして扱い、メモリ容量の設定を複数のタグのメモリ容量の合計の範囲内で増減することにより、自由度があり、拡張性にも優れた利便性の高い非接触ＩＤ装置を提供することにある。
【００１６】
【課題を解決するための手段】
前記課題を解決するためにこの発明に係る非接触ＩＤ装置は、複数のタグと、複数のタグと非接触でデータの書込みおよび読出しを行なう読出し／書込み装置と、からなる非接触ＩＤ装置において、複数のタグは、データ記憶手段を備え、データ記憶手段のメモリ領域に、複数のタグをメモリ容量の大きな１個のタグに集約するためのデータを設定するシステムエリアを設けたことを特徴とする。
【００１７】
この発明に係る非接触ＩＤ装置のタグは、データ記憶手段のメモリ領域に、複数のタグを１個のタグに集約するためのデータを設定するシステムエリアを設けたので、それぞれのタグのデータを組み合わせて複数のタグを１個のタグとして扱い、メモリ容量を拡張することができ、装置の自由度を高め、拡張性ならびに利便性の向上を図ることができる。
【００１８】
この発明に係る非接触ＩＤ装置のタグは、複数のタグと、複数のタグと非接触でデータの書込みおよび読出しを行なう読出し／書込み装置と、からなる非接触ＩＤ装置において、複数のタグは、データ記憶手段を備え、データ記憶手段のメモリ領域に、それぞれのタグ固有のオフセット値およびメモリ容量値を設定するシステムエリアを設けたことを特徴とする。
【００１９】
さらに、この発明に係る読出し／書込み装置は、データ記憶手段のメモリ領域に設定されたタグ固有のオフセット値およびメモリ容量値に基づいて複数のタグを集約したメモリ容量の大きな１個のタグとして扱うことを特徴とする。
【００２０】
この発明に係る非接触ＩＤ装置は、データ記憶手段のメモリ領域に、それぞれのタグ固有のオフセット値およびメモリ容量値を設定するシステムエリアを設けた複数のタグを備えるとともに、タグ固有のオフセット値およびメモリ容量値に基づいて複数のタグをメモリ容量の大きな１個のタグとして扱う読出し／書込み装置を備えたので、読出し／書込み装置からオフセット値とメモリ容量値を合計したメモリ領域の指定アドレスを含むコマンドを各タグに送信することにより、複数のタグを各タグのメモリ容量値を合計したメモリ容量値を持つ１個のタグとして処理することができ、装置の自由度を高め、拡張性ならびに利便性の向上を図ることができる。
【００２１】
この発明に係る非接触ＩＤ装置は、複数のタグと、複数のタグと非接触でデータの書込みおよび読出しを行なう読出し／書込み装置と、からなる非接触ＩＤ装置において、複数のタグは、データ記憶手段を備え、データ記憶手段のメモリ領域に、それぞれのタグ固有の固有番号および前記複数のタグを集約したメモリ容量の大きな１個のタグの固有番号に対応したＩＤ番号テーブルを設定するシステムエリアを設けたことを特徴とする。
【００２２】
さらに、この発明に係る読出し／書込み装置は、データ記憶手段のメモリ領域に設定された複数のタグ固有の固有番号および複数のタグを集約したメモリ容量の大きな１個のタグの固有番号に対応したＩＤ番号テーブルに基づいて複数のタグを、複数のタグを集約したメモリ容量の大きな１個のタグとして扱うことを特徴とする。
【００２３】
この発明に係る非接触ＩＤ装置は、データ記憶手段のメモリ領域に、それぞれのタグ固有の固有番号および全てのタグの固有番号に対応したＩＤ番号テーブルを設定するシステムエリアを設けた複数のタグを備えるとともに、データ記憶手段のメモリ領域に設定されたタグ固有の固有番号および全てのタグの固有番号に対応したＩＤ番号テーブルに基づいて複数のタグをメモリ容量の大きな１個のタグとして扱う読出し／書込み装置を備えたので、読出し／書込み装置から固有番号および全てのタグの固有番号に対応したＩＤ番号テーブルのコマンドを各タグに送信することにより、複数のタグを固有番号とＩＤ番号テーブルにより配列し、各タグのメモリ容量を合計して１個のタグとして処理することができ、装置の自由度を高め、拡張性ならびに利便性の向上を図ることができる。
【００２４】
また、この発明に係る非接触ＩＤ装置は、複数のタグと、複数のタグと非接触でデータの書込みおよび読出しを行なう読出し／書込み装置と、からなる非接触ＩＤ装置において、複数のタグにそれぞれデータ記憶手段を備え、且つ、前記複数のタグのうち予め選択された一のタグを特定のタグとして、当該特定のタグにおける前記データ記憶手段のメモリ領域に、当該特定のタグの固有番号を記憶すると共に前記複数のタグのうち前記特定のタグ以外の全てのタグに対応したＩＤ番号テーブルを設定するシステムエリアを設け、更に、前記複数のタグのうち前記特定のタグ以外の全てのタグにおける前記データ記憶手段のメモリ領域に、それぞれ前記複数のタグのうち前記特定のタグ以外の全てのタグに係る固有番号を設定するシステムエリアを設けたことを特徴とする。
【００２５】
さらに、この発明に係る読出し／書込み装置は、特定のタグに係るデータ記憶手段のメモリ領域に設定された特定のタグの固有番号および特定タグ以外の全てのタグの固有番号に対応したＩＤ番号テーブルと、特定タグ以外の全てのタグの固有番号と、に基づいて複数のタグをメモリ容量の大きな１個のタグとして扱うことを特徴とする。
【００２６】
この発明に係る非接触ＩＤ装置は、メモリ領域に、固有番号および全てのタグの固有番号に対応したＩＤ番号テーブルを設定するシステムエリアを設けた特定のタグ（マスタタグ）を備えるとともに、特定のタグの固有番号のコマンドで特定のタグを特定し、特定のタグが有する全てのタグの固有番号に対応したＩＤ番号テーブルにより、特定のタグを含む全てのタグを配列し、全てのタグのメモリ容量を合計して１個のタグとして処理することができ、装置の自由度を高め、拡張性ならびに利便性の向上を図ることができる。
【００２７】
また、この発明に係る読出し／書込み装置は、複数のタグの固有番号に基づいてＩＤ番号テーブルを作成するＩＤ番号テーブル作成手段を備えたことを特徴とする。
【００２８】
この発明に係る読出し／書込み装置は、タグの固有番号に基づいてＩＤ番号テーブルを作成するＩＤ番号テーブル作成手段を備えたので、タグにＩＤ番号を設定することができ、必要とされるメモリ容量に対応した複数のタグにＩＤ番号を付与することにより、複数のタグを１個のタグとして処理することができる。
【００２９】
また、この発明に係る読出し／書込み装置は、複数のタグの固有番号に基づいてＩＤ番号テーブルを更新するＩＤ番号テーブル更新手段を備えたことを特徴とする。
【００３０】
この発明に係る読出し／書込み装置は、タグの固有番号に基づいてＩＤ番号テーブルを更新するＩＤ番号テーブル更新手段を備えたので、ＩＤ番号テーブルを更新してタグを追加したり、削除したりすることにより、タグを任意に増加または減少して１個のタグとして処理することができ、メモリ容量を自由に変更することができる。
【００３１】
また、この発明に係る非接触ＩＤ装置は、複数のタグが搭載された対象物を水平方向に移動して読出し／書込み装置でデータの読出し／書込みを実行する場合、最初に特定のタグが読出し／書込み装置の交信領域に入るように複数のタグを配置したことを特徴とする。
【００３２】
さらに、この発明に係る非接触ＩＤ装置は、複数のタグが搭載された対象物を垂直方向に移動して読出し／書込み装置でデータの読出し／書込みを実行する場合、最初に特定のタグが読出し／書込み装置の交信領域に入るように複数のタグを配置したことを特徴とする。
【００３３】
この発明に係る非接触ＩＤ装置は、読出し／書込み装置で複数のタグのデータの読出し／書込みを実行する場合、複数のタグが搭載された対象物を水平方向または垂直方向に移動しても特定のタグ（マスタタグ）が最初に読出し／書込み装置の交信領域に入るので、複数のタグのデータの読出し／書込みを正確に、かつ迅速に実行することができる。
【００３４】
【発明の実施の形態】
以下、この発明の実施の形態を添付図面に基づいて説明する。なお、本発明は、タグのメモリ内にシステムエリアを設け、システムエリアに書き込むデータに基づいて複数のタグをリーダライタ側から見て見かけ上１個のタグとして扱い、メモリ容量の設定を複数のタグの合計したメモリ容量の範囲内で増減することにより、自由度があり、拡張性にも優れた利便性の高い非接触ＩＤ装置を提供することにある。
【００３５】
図１はこの発明に係る非接触ＩＤ装置の一実施の形態基本構成図である。図１において、非接触ＩＤ装置１は、複数のタグ（Ｔ1〜Ｔ6）３と、複数のタグ（Ｔ1〜Ｔ6）３と非接触でデータの読出しおよび書込みを行なう読出し／書込み装置（リーダ／ライタ）２から構成する。複数のタグ（Ｔ1〜Ｔ6）３と読出し／書込み装置２との間の交信は、データが重畳された電磁誘導や電波を用いることにより、非接触のデータ伝送を実現する。
【００３６】
読出し／書込み装置２は、データの読出しまたは書込みの要求コマンドを複数のタグ（Ｔ1〜Ｔ6）３に送信し、タグ（Ｔ1〜Ｔ6）３のメモリ内に設けたシステムエリアに設定されたデータ、例えば、タグのオフセット値、タグのメモリ容量値、タグの固有番号、タグのＩＤ番号テーブル等に基づいてタグＴ1〜Ｔ6を特定し、タグＴ1〜Ｔ6のメモリ領域を配列し、タグＴ1〜Ｔ6のメモリ領域を併せることにより、独立したタグＴ1〜Ｔ6のメモリ容量を合計した１個のタグとしてデータ処理を行なう。
【００３７】
タグ（Ｔ1〜Ｔ6）３は、例えば同じメモリ容量のＥＥＰＲＯＭ等のメモリを備え、例えば樹脂材料等で構成された板状のラベル４の表面または内部に配置され、ラベルを製品、定期券等の対象物２０に貼り付けたり、ラベル４自体で定期券等を構成して、読出し／書込み装置２の交信領域に近付けて用いる。
【００３８】
また、タグＴ1〜Ｔ6は、それぞれのメモリ内に様々なデータが書き込まれ、書き換えられて記憶しており、本願発明では、複数のタグＴ1〜Ｔ6をタグＴ1〜Ｔ6のメモリ容量を合計した１個のタグとして扱うものである。
【００３９】
図２は複数のタグを１個のタグとするイメージ図である。図２において、複数のタグＴ1〜タグＴ6を１個のタグＴに集約するが、これは６個のタグＴ1〜タグＴ6が物理的に１個のタグＴになるのではなく、６個のタグＴ1〜タグＴ6のメモリ容量Ｍを合計したメモリ容量６Ｍの１個のタグＴと見なしてデータ処理することを意味する。
【００４０】
図３はこの発明に係るタグの一実施の形態要部ブロック構成図である。（ａ）図にブロック構成図を示し、（ｂ）図にデータ記憶手段（メモリ）のメモリ領域の構成図を示す。（ａ）図において、タグ（Ｔ1〜Ｔ6）３は、空間伝送手段５、タグ制御手段６、データ記憶手段７を備える。なお、変調／復調回路や読出し／書込み装置２から空間伝送で供給される電源（高周波信号）の整流・平滑回路は、省略する。
【００４１】
空間伝送手段５は、コイルや無線回路で構成し、読出し／書込み装置２から電磁誘導や電波で供給される要求コマンド、書込みのデータを受信して図示しない変調／復調回路で復調を施した後、復調したデータをタグ制御手段６に供給する。
【００４２】
また、空間伝送手段５は、タグ制御手段６の制御によりデータ記憶手段７に記憶されたデータを読出し、図示しない変調／復調回路で変調を施した後、変調したデータを電磁誘導や電波で読出し／書込み装置２に供給する。
【００４３】
タグ制御手段６は、マイクロプロセッサを基本に構成し、読出し／書込み装置２から供給される要求コマンドに基づいてデータ記憶手段７からデータを読み出す制御やデータ記憶手段７にデータを書き込む制御を行なう。
【００４４】
データ記憶手段７は、ＥＥＰＲＯＭ等のメモリで構成し、メモリ領域８内にシステムエリア８Ａおよびデータエリア８Ｂを設ける。（ｂ）図に示すように、システムエリア８Ａには、タグのオフセット値、タグのメモリ容量値、タグの固有番号、タグのＩＤ番号テーブル等のタグＴ1〜Ｔ6を１個のタグＴに集約するためのシステムデータＤiを記憶し、データエリア８Ｂには、通常タグに書き込まれるデータ（例えば、メモリ容量Ｍ＝２５６バイト）を記憶する。なお、複数のタグＴ1〜Ｔ6を１個のタグＴに集約するため、システムデータＤiを組み合わせたり、配列を変えたり、またはデータを更新したりする。
【００４５】
このように、この発明に係る非接触ＩＤ装置１のタグＴ1〜Ｔ6は、データ記憶手段７のメモリ領域に、複数のタグＴ1〜Ｔ6を１個のタグＴに集約するためのデータＤiを設定するシステムエリア８Ａを設けたので、それぞれのタグＴ1〜Ｔ6のデータＤiを組み合わせて複数のタグを１個のタグとして扱い、メモリ容量を拡張することができ、装置の自由度を高め、拡張性ならびに利便性の向上を図ることができる。
【００４６】
図４はこの発明に係るタグの一実施の形態動作フロー図である。本実施の形態では、データ記憶手段７のメモリ領域８に、タグ固有のオフセット値ＮOおよびメモリ容量値ＮMをシステムデータＤiとしてシステムエリア８Ａに設定する。
【００４７】
最初に、ステップＳ１では、読出し／書込み装置２から要求コマンドを受信する。次に、ステップＳ２で、システムエリア８Ａからオフセット値ＮOを読出し、ステップＳ３で、システムエリア８Ａからメモリ容量値ＮMを読み出して、ステップＳ４では、オフセット値ＮOとメモリ容量値ＮMを加算して合計値ＮA（＝ＮO＋ＮM）を算出する。
【００４８】
ステップＳ５では、要求コマンドの指定アドレスＮSがオフセット値ＮOと合計値ＮAの範囲（ＮO＜ＮS＜ＮA）にあるか否かを判定し、範囲にある場合にはステップＳ６に移行する。一方、指定アドレスＮSがオフセット値ＮOと合計値ＮAの範囲外の場合には何も処理をせずに終了する。
【００４９】
ステップＳ６では、コマンドの処理を実行し、ステップＳ７で、読出し／書込み装置２にレスポンス（応答）を送信する。
【００５０】
なお、ステップＳ１およびステップＳ７の動作は、空間伝送手段５が実行し、ステップＳ２〜ステップＳ６の動作は、タグ制御手段６が実行する。
【００５１】
図５はこの発明に係るタグのメモリ集約の一実施の形態説明図である。タグＴ1とタグＴ2をタグＴに集約する場合について説明する。なお、タグＴ1およびタグＴ2のメモリ容量は、１６進の２５６バイトとする。また、タグＴ1とタグＴ2をタグＴに集約する制御は、読出し／書込み装置２がタグＴ1およびタグＴ2のデータ記憶手段７のメモリ領域８（システムエリア８Ａ）に設定されたオフセット値ＮOおよびメモリ容量値ＮMに基づいて実行する。
【００５２】
図５において、タグＴ1のシステムエリア８Ａのオフセット値ＮOを「００００」、メモリ容量値ＮMを「０１００」とし、タグＴ2のシステムエリア８Ａのオフセット値ＮOを「０１００」、メモリ容量値ＮMを「０１００」とする。なお、タグＴ1およびタグＴ2のデータエリア８Ｂのアドレスは、それぞれ「００００番地」から「００ＦＦ番地」の２５６バイトである。
【００５３】
タグＴ1およびタグＴ2に本発明を適用することにより、タグＴの見かけ上のシステムエリア８Ａのオフセット値ＮOは「００００」、メモリ容量値ＮMは「０２００」となり、データエリア８Ｂのアドレスは、「００００番地」から「０１ＦＦ番地
」となり、メモリ容量２５６バイトの２個のタグＴ1およびタグＴ2をメモリ容量５１２バイトの１個のタグＴに集約することができる。なお、図５では、２個のタグを１個のタグに集約した例を説明したが、タグは複数（何個）であっても本発明を適用することができる。
【００５４】
このように、この発明に係る非接触ＩＤ装置１は、データ記憶手段７のメモリ領域８に、それぞれのタグ固有のオフセット値ＮOおよびメモリ容量値ＮMを設定するシステムエリア８Ａを設けた複数のタグＴ1，Ｔ2を備えるとともに、タグ固有のオフセット値ＮOおよびメモリ容量値ＮMに基づいて複数のタグＴ1，Ｔ2をメモリ容量の大きな１個のタグＴとして扱う読出し／書込み装置２を備えたので、読出し／書込み装置２からオフセット値ＮOとメモリ容量値ＮMを合計したメモリ領域の指定アドレスを含むコマンドを各タグＴ1，Ｔ2に送信することにより、複数のタグを各タグのメモリ容量値ＮMを合計したメモリ容量値２ＮMを持つ１個のタグとして処理することができ、装置の自由度を高め、拡張性ならびに利便性の向上を図ることができる。
【００５５】
図６はこの発明に係る読出し／書込み装置の一実施の形態要部ブロック構成図である。図６において、読出し／書込み装置２は、外部インタフェース９、制御手段１０、空間伝送手段１１、メモリ１２を備える。
【００５６】
外部インタフェース９は、読出し／書込み装置２と図示しない外部接続機器の間のデータの受け渡しを行なうＲＳ２３２ＣまたはＧＰＩＢ等のインタフェースを取る。
【００５７】
制御手段１０は、マイクロプロセッサを基本に各種演算機能、処理機能を有し、ＩＤ番号テーブル作成手段１３、ＩＤ番号テーブル更新手段１４を備える。制御手段１０は、読出し／書込み装置２全体の動作、シーケンスを制御する。
【００５８】
また、制御手段１０は、複数タグへの同時アクセス機能を備える。複数のタグのシステムエリア８Ａに１個のメモリ容量の大きなタグとして扱うため、予め固有番号をメモリ順番に並べることにより設定されたＩＤ番号テーブルを読み出し、ＩＤ番号テーブルの情報から各タグを特定し、該当するタグを選択してデータの読出し／書込みを実行する。
【００５９】
さらに、制御手段１０は、特定タグの選択アクセス機能を備える。１個のタグ（マスタタグ）のシステムエリアに、複数のタグを１個のメモリ容量の大きなタグとして扱うため、予め固有番号をメモリ順番に並べることにより設定されたマスタタグのＩＤ番号テーブルを読み出し、ＩＤ番号テーブルの情報から各タグのＩＤ番号とアドレスを判別することにより、該当するタグを選択してデータの読出し／書込みを実行する。
【００６０】
また、制御手段１０は、ＩＤ番号テーブル作成手段１３を備え、タグの固有番号に基づいてＩＤ番号テーブルを作成し、作成したＩＤ番号テーブルをメモリ１２に供給して記憶させたり、作成したＩＤ番号テーブルを空間伝送手段１１を介して図１に示す複数のタグ（Ｔ1〜Ｔ6）３に供給する。ＩＤ番号テーブル作成手段１３を備えたので、必要とされるメモリ容量に対応した複数のタグにＩＤ番号を付与することにより、複数のタグを１個のメモリ容量の大きなタグとして処理することができる。
【００６１】
さらに、制御手段１０は、ＩＤ番号テーブル更新手段１４を備え、タグの固有番号に基づいてＩＤ番号テーブルを更新し、更新したＩＤ番号テーブルをメモリ１２に供給して記憶させたり、更新したＩＤ番号テーブルを空間伝送手段１１を介して図１に示す複数のタグ（Ｔ1〜Ｔ6）３に供給する。ＩＤ番号テーブル更新手段１４を備えたので、ＩＤ番号テーブルを更新してタグを追加したり、削除したりすることにより、タグを任意に増加または減少して１個のタグとして処理することができ、メモリ容量を自由に変更することができる。
【００６２】
空間伝送手段１１は、コイルや無線回路で構成し、制御手段１０から供給される読出し／書込みのコマンド、ＩＤ番号テーブル等の情報を電磁誘導や電波で図１に示す複数のタグ（Ｔ1〜Ｔ6）３に供給する。
【００６３】
また、空間伝送手段１１は、図１に示す複数のタグ（Ｔ1〜Ｔ6）３から電磁誘導や電波で供給されるオフセット値、タグのメモリ容量値、タグの固有番号、タグのＩＤ番号テーブル等の情報を受信し、制御手段１０に提供する。
【００６４】
メモリ手段１２は、ＲＯＭ、ＲＡＭ等のメモリで構成し、図１に示す複数のタグ（Ｔ1〜Ｔ6）３への読出し／書込みのコマンド、複数のタグ（Ｔ1〜Ｔ6）３からのメモリ容量値、タグの固有番号、タグのＩＤ番号テーブル等の情報を記憶する。
【００６５】
図７はこの発明に係るタグのメモリ集約の別実施の形態説明図である。なお、図７は複数のタグＴ1〜Ｔ4全てのシステムエリアに、タグ固有の固有番号および全てのタグの固有番号に対応したＩＤ番号テーブルを設定するものである。
【００６６】
図７において、タグＴ1のシステムエリアには、固有番号「００１２」と、全て（ここでは、４個）のタグＴ1〜Ｔ4の固有番号「００１２」，「００１８」，「１２３４」，「３３３３」に対応したテーブル番号「０」，「１」，「２」，「３」を設定する。なお、テーブル番号「４」には、メモリ集約の終わりを示す「ＦＦＦＦ」を固有番号として設定する。
【００６７】
同様に、タグＴ2〜Ｔ4のシステムエリアには、それぞれ固有番号「００１８」、「１２３４」および「３３３３」を設定し、ＩＤ番号テーブルは、タグＴ1と同じそれぞれタグＴ1〜Ｔ4の固有番号「００１２」，「００１８」，「１２３４」，「３３３３」に対応したテーブル番号「０」，「１」，「２」，「３」を設定する。
【００６８】
タグＴ1〜Ｔ4の全てのシステムエリアに、固有番号および固有番号に対応したＩＤ番号テーブルを設定することにより、図６に示す読出し／書込み装置２からまず、タグＴ1〜Ｔ4の中から任意タグの固有番号を前述の複数のタグへの同時アクセス機能により読み出し、その後該固有番号を持つタグに対してコマンドを実行することにより、タグＴ1〜Ｔ4のＩＤ番号テーブルを認識することができる。
【００６９】
そして、ＩＤ番号テーブルに記載されたＩＤ番号順にタグＴ1〜Ｔ4をコマンドで指定し、それぞれのデータエリアのメモリ番地をアクセスすることにより、タグＴ1〜Ｔ4の個々のメモリ容量（例えば、２５６バイト）を１個に集約したメモリ容量（２５６×４＝１０２４バイト）が得られる。なお、本実施の形態では、タグＴ1〜Ｔ4の場合について説明したが、タグは５個以上であってもよい。
【００７０】
このように、この発明に係る非接触ＩＤ装置１は、データ記憶手段７のメモリ領域８に、それぞれのタグ固有の固有番号および全てのタグの固有番号に対応したＩＤ番号テーブルを設定するシステムエリア８Ａを設けた複数のタグＴ1〜Ｔ4を備えるとともに、データ記憶手段７のメモリ領域８に設定されたタグ固有の固有番号および全てのタグの固有番号に対応したＩＤ番号テーブルに基づいて複数のタグＴ1〜Ｔ4をメモリ容量の大きな１個のタグとして扱う読出し／書込み装置２を備えたので、読出し／書込み装置２から固有番号および全てのタグの固有番号に対応したＩＤ番号テーブルのコマンドを各タグに送信することにより、複数のタグを固有番号とＩＤ番号テーブルにより配列し、各タグのメモリ容量を合計して１個のタグとして処理することができ、装置の自由度を高め、拡張性ならびに利便性の向上を図ることができる。
【００７１】
図８はこの発明に係るタグのメモリ集約の別実施の形態説明図である。なお、図８は複数のタグＴM，Ｔ2〜Ｔ4の１つに特定のタグ（マスタタグ）ＴMを設定し、マスタタグＴMのシステムエリアにマスタタグＴMの固有番号および全てのタグＴM，Ｔ2〜Ｔ4の固有番号に対応したＩＤ番号テーブルを設定するとともに、残り全てのタグＴ2〜Ｔ4のシステムエリアに固有番号を設定するものである。
【００７２】
図８において、マスタタグＴMのシステムエリアには、固有番号「００００」と、全て（ここでは、４個）のタグＴM，Ｔ2〜Ｔ4の固有番号「００００」，「００１８」，「１２３４」，「３３３３」に対応したテーブル番号「０」，「１」，「２」，「３」を設定する。なお、テーブル番号「４」には、メモリ集約の終わりを示す「ＦＦＦＦ」を固有番号として設定する。
【００７３】
一方、タグＴ2〜Ｔ4のシステムエリアには、それぞれ固有番号「００１８」、「１２３４」および「３３３３」のみを設定する。
【００７４】
マスタタグＴMのシステムエリアに、固有番号に対応したＩＤ番号テーブルを設定することにより、図６に示す読出し／書込み装置２からマスタタグＴMを固有番号のコマンドで指定することにより、マスタタグＴM，およびタグＴ2〜Ｔ4のＩＤ番号テーブルを認識することができる。
【００７５】
そして、ＩＤ番号テーブルに記載されたＩＤ番号順にマスタタグＴM，タグＴ2〜Ｔ4をコマンドで指定し、それぞれのデータエリアのメモリ番地をアクセスすることにより、マスタタグＴM，タグＴ2〜Ｔ4の個々のメモリ容量（例えば、２５６バイト）を１個に集約したメモリ容量（２５６×４＝１０２４バイト）が得られる。なお、本実施の形態では、マスタタグＴM，タグＴ2〜Ｔ4の場合について説明したが、タグは４個以上であってもよい。
【００７６】
図７または図８に示すＩＤ番号テーブルの方式では、１個のタグとして集約される複数のタグのメモリ容量が全て同じでなければ適用できないため、メモリ容量が異なる場合のＩＤ番号テーブルについて説明する。
【００７７】
図９はこの発明に係るＩＤ番号テーブルの別実施の形態構成図である。図９において、３個のタグのＩＤ番号テーブルは、テーブル番号と、これらに対応したＩＤ番号＋メモリ容量で構成する。
【００７８】
テーブル番号「０」，「１」，「２」に対応したＩＤ番号＋メモリ容量「００１２３４」＋「０１００」、「００１８４５」＋「０４００」、「１２３４５６」＋「０１００」のＩＤ番号テーブルで構成する。メモリ容量「１００＝２５６バイト」のタグ２個とメモリ容量「４００＝１０２４バイト」のタグ１個で構成される。
【００７９】
ＩＤ番号テーブルをＩＤ番号＋メモリ容量で構成することにより、異なるメモリ容量を有する複数のタグであっても、図７または図８で説明した本発明を適用することができる。
【００８０】
図１０は図９に示すＩＤ番号テーブルの変形実施の形態構成図である。図１０において、ＩＤ番号テーブルのメモリ容量に代えてメモリをアクセスする開始アドレス＋終了アドレスで構成した点が図９と異なる。
【００８１】
ＩＤ番号テーブルをＩＤ番号＋開始アドレス＋終了アドレスで構成することにより、異なるメモリ容量を有する複数のタグであっても、図７または図８で説明した本発明を適用することができる。
【００８２】
なお、図７〜図１０に示すＩＤ番号テーブルは、図６に示す読出し／書込み装置２の制御手段１０内に設けられたＩＤ番号テーブル作成手段１３で作成することができる。
【００８３】
このように、この発明に係る非接触ＩＤ装置１は、メモリ領域８に、固有番号および全てのタグの固有番号に対応したＩＤ番号テーブルを設定するシステムエリア８Ａを設けた特定のタグ（マスタタグ）ＴMを備えるとともに、特定のタグの固有番号のコマンドで特定のタグを特定し、特定のタグが有する全てのタグＴM，Ｔ2〜Ｔ4の固有番号に対応したＩＤ番号テーブルにより、特定のタグを含む全てのタグタグＴM，Ｔ2〜Ｔ4を配列し、全てのタグのメモリ容量を合計して１個のタグとして処理することができ、装置の自由度を高め、拡張性ならびに利便性の向上を図ることができる。
【００８４】
また、この発明に係る読出し／書込み装置２は、タグの固有番号に基づいてＩＤ番号テーブルを作成するＩＤ番号テーブル作成手段１３を備えたので、タグにＩＤ番号を設定することができ、必要とされるメモリ容量に対応した複数のタグにＩＤ番号を付与することにより、複数のタグを１個のタグとして処理することができる。
【００８５】
次に、図８に示すタグ構成において、新たなタグを追加してメモリ容量を増加する場合について説明する。図１１はこの発明に係るタグ追加の一実施の形態説明図である。図１１において、図８のＩＤ番号テーブルにタグＴ5を追加する場合、テーブル番号「４」を固有番号「９９９９」に更新し、テーブル番号「５」を固有番号「ＦＦＦＦ」に更新する。
【００８６】
テーブル番号「４」およびテーブル番号「５」を更新することにより、新たなタグを追加し、追加したタグのメモリ容量分だけ１個に集約したタグのメモリ容量を増加することができる。
【００８７】
なお、テーブル番号を更新することにより、ＩＤ番号テーブルを構成するタグの数を減少し、１個に集約したタグのメモリ容量を減少することもできる。
【００８８】
また、図１１では図８に示すマスタタグＴMのシステムエリアのＩＤ番号テーブルを更新した例を説明したが、図７に示すように、追加するタグＴ5を含めタグＴ1〜Ｔ4全てのタグのシステムエリアのＩＤ番号テーブルを更新することもできる。
【００８９】
なお、システムエリアのＩＤ番号テーブルは、図６に示す読出し／書込み装置２の制御手段１０内に設けられたＩＤ番号テーブル更新手段１４で更新することができる。
【００９０】
このように、この発明に係る読出し／書込み装置２は、タグの固有番号に基づいてＩＤ番号テーブルを更新するＩＤ番号テーブル更新手段１４を備えたので、ＩＤ番号テーブルを更新してタグを追加したり、削除したりすることにより、タグを任意に増加または減少して１個のタグとして処理することができ、メモリ容量を自由に変更することができる。
【００９１】
図１２はこの発明に係るタグの一実施の形態配置図である。図１２において、タグはマスタタグＴMを備え、タグは読出し／書込み装置２に対して水平方向に移動する場合を示す。
【００９２】
（ｂ）図に示すように、タグが読出し／書込み装置２の交信領域を水平方向に通過する場合、マスタタグＴMが最初に交信領域に入るように全てのタグを配置する。
【００９３】
マスタタグＴMが読出し／書込み装置２と最初に交信することにより、読出し／書込み装置２は、マスタタグＴMのシステムエリアに記憶されたＩＤ番号テーブルを読み取り、全てのタグを認識することができる。
【００９４】
図１３はこの発明に係るタグの別実施の形態配置図である。図１３において、タグはマスタタグＴMを備え、タグは読出し／書込み装置２に対して垂直方向に移動する場合を示す。
【００９５】
（ｂ）図に示すように、タグが読出し／書込み装置２の交信領域を垂直方向に移動する場合、マスタタグＴMが最初に交信領域に入るように全てのタグを配置する。
【００９６】
マスタタグＴMが読出し／書込み装置２と最初に交信することにより、読出し／書込み装置２は、マスタタグＴMのシステムエリアに記憶されたＩＤ番号テーブルを読み取り、全てのタグを認識することができる。
【００９７】
このように、この発明に係る非接触ＩＤ装置１は、読出し／書込み装置２で複数のタグのデータの読出し／書込みを実行する場合、複数のタグが搭載された対象物を水平方向または垂直方向に移動しても特定のタグ（マスタタグ）ＴMが最初に読出し／書込み装置２の交信領域に入るので、複数のタグのデータの読出し／書込みを正確に、かつ迅速に実行することができる。
【００９８】
【発明の効果】
以上説明したように、この発明に係る非接触ＩＤ装置のタグは、データ記憶手段のメモリ領域に、複数のタグを１個のタグに集約するためのデータを設定するシステムエリアを設けたので、それぞれのタグのデータを組み合わせて複数のタグを１個のタグとして扱い、メモリ容量を拡張することができ、装置の自由度を高め、拡張性ならびに利便性の向上を図ることができる。
【００９９】
また、この発明に係る非接触ＩＤ装置は、データ記憶手段のメモリ領域に、それぞれのタグ固有のオフセット値およびメモリ容量値を設定するシステムエリアを設けた複数のタグを備えるとともに、タグ固有のオフセット値およびメモリ容量値に基づいて複数のタグをメモリ容量の大きな１個のタグとして扱う読出し／書込み装置を備えたので、読出し／書込み装置からオフセット値とメモリ容量値を合計したコマンドを各タグに送信することにより、複数のタグを各タグのメモリ容量値を合計したメモリ容量値を持つ１個のタグとして処理することができ、装置の自由度を高め、拡張性ならびに利便性の向上を図ることができる。
【０１００】
さらに、この発明に係る非接触ＩＤ装置は、データ記憶手段のメモリ領域に、それぞれのタグ固有の固有番号および全てのタグの固有番号に対応したＩＤ番号テーブルを設定するシステムエリアを設けた複数のタグを備えるとともに、データ記憶手段のメモリ領域に設定されたタグ固有の固有番号および全てのタグの固有番号に対応したＩＤ番号テーブルに基づいて複数のタグをメモリ容量の大きな１個のタグとして扱う読出し／書込み装置を備えたので、読出し／書込み装置から固有番号および全てのタグの固有番号に対応したＩＤ番号テーブルのコマンドを各タグに送信することにより、複数のタグを固有番号とＩＤ番号テーブルにより配列し、各タグのメモリ容量を合計して１個のタグとして処理することができ、装置の自由度を高め、拡張性ならびに利便性の向上を図ることができる。
【０１０１】
また、この発明に係る非接触ＩＤ装置は、メモリ領域に、固有番号および全てのタグの固有番号に対応したＩＤ番号テーブルを設定するシステムエリアを設けた特定のタグ（マスタタグ）を備えるとともに、特定のタグの固有番号のコマンドで特定のタグを特定し、特定のタグが有する全てのタグの固有番号に対応したＩＤ番号テーブルにより、特定のタグを含む全てのタグを配列し、全てのタグのメモリ容量を合計して１個のタグとして処理することができ、装置の自由度を高め、拡張性ならびに利便性の向上を図ることができる。
【０１０２】
さらに、この発明に係る読出し／書込み装置は、タグの固有番号に基づいてＩＤ番号テーブルを作成するＩＤ番号テーブル作成手段を備えたので、タグにＩＤ番号を設定することができ、必要とされるメモリ容量に対応した複数のタグにＩＤ番号を付与することにより、複数のタグを１個のタグとして処理することができる。
【０１０３】
また、この発明に係る読出し／書込み装置は、タグの固有番号に基づいてＩＤ番号テーブルを更新するＩＤ番号テーブル更新手段を備えたので、ＩＤ番号テーブルを更新してタグを追加したり、削除したりすることにより、タグを任意に増加または減少して１個のタグとして処理することができ、メモリ容量を自由に変更することができる。
【図面の簡単な説明】
【図１】この発明に係る非接触ＩＤ装置の一実施の形態基本構成図
【図２】複数のタグを１個のタグとするイメージ図
【図３】この発明に係るタグの一実施の形態要部ブロック構成図
【図４】この発明に係るタグの一実施の形態動作フロー図
【図５】この発明に係るタグのメモリ集約の一実施の形態説明図
【図６】この発明に係る読出し／書込み装置の一実施の形態要部ブロック構成図
【図７】この発明に係るタグのメモリ集約の別実施の形態説明図
【図８】この発明に係るタグのメモリ集約の別実施の形態説明図
【図９】この発明に係るＩＤ番号テーブルの別実施の形態構成図
【図１０】図９に示すＩＤ番号テーブルの変形実施の形態構成図
【図１１】この発明に係るタグ追加の一実施の形態説明図
【図１２】この発明に係るタグの一実施の形態配置図
【図１３】この発明に係るタグの別実施の形態配置図
【図１４】従来のタグ（記憶媒体）のブロック構成図
【図１５】従来の非接触ＩＤ装置の構成図
【図１６】従来の非接触ＩＤ装置の別構成図
【符号の説明】
１  非接触ＩＤ装置
２  読出し／書込み装置
３  タグ
４  ラベル
５，１１  空間伝送手段
６  タグ制御手段
７  データ記憶手段
８  メモリ領域
８Ａ  システムエリア
８Ｂ  データエリア
９  外部インタフェース
１０  制御手段
１２  メモリ
１３  ＩＤ番号テーブル作成手段
１４  ＩＤ番号テーブル更新手段
【図１】
0003674525.tif 000002
【図２】
0003674525.tif 000003
【図３】
0003674525.tif 000004
【図４】
0003674525.tif 000005
【図５】
0003674525.tif 000006
【図６】
0003674525.tif 000007
【図７】
0003674525.tif 000008
【図８】
0003674525.tif 000009
【図９】
0003674525.tif 000010
【図１０】
0003674525.tif 000011
【図１１】
0003674525.tif 000012
【図１２】
0003674525.tif 000013
【図１３】
0003674525.tif 000014
【図１４】
0003674525.tif 000015
【図１５】
0003674525.tif 000016
【図１６】
0003674525.tif 000017